(57)【要約】【課題】貫通孔にフラットケーブルを挿通する場合に、フラットケーブルは挿通できるが、反対側に干渉する構造物があるためにコネクタを挿通できない場合がある。【解決手段】貫通孔５の形成された対向板４にダミー貫通孔１１を形成し、当該ダミー貫通孔１１と貫通孔５とを連通させる連通孔１２を形成し、フラットケーブル６の中間部を丸めた曲がり部６ａを連通孔１２の部分から区画部１３の向こう側へ入れることにより、フラットケーブル６が対向板４の貫通孔５から入ってダミー貫通孔１１から戻った状態にした後、コネクタ７をダミー貫通孔１１に挿通することで、前記貫通孔５のみを介してフラットケーブル６が配設された状態にする。【選択図】  図２
2004296759.tif 000002
【特許請求の範囲】
【請求項１】
一対の板状材が相互に重ねて結合され、結合された状態では、一方の板状材の開口部と他方の板状材の貫通孔とが対応し、前記貫通孔を介して一対の板状材の一方側から他方側へケーブルを配設した構成の電子機器において、
他方の板状材にダミー貫通孔を形成し、当該ダミー貫通孔と前記貫通孔とを連通させる連通孔を形成し、ケーブルの中間部を一方側から前記連通孔に入れることで、ケーブルが他方の板状材の貫通孔から入ってダミー貫通孔から戻った状態にした後、ケーブルの先端部を一方側からダミー貫通孔に挿通することで、前記貫通孔を介してケーブルが配設された状態にしたことを特徴とする電子機器。
【請求項２】
前記ダミー貫通孔の大きさを、前記ケーブルに設けられるコネクタが挿通され得る大きさに設定したことを特徴とする請求項１に記載の電子機器。
【請求項３】
前記連通孔を形成することで前記貫通孔と前記ダミー貫通孔との間に形成された区画部の基端部近傍に打ち出し部を形成したことを特徴とする請求項２に記載の電子機器。
【請求項４】
前記打ち出し部が一方の板状材の開口部の内側に当接して一方の板状材と他方の板状材とが位置決めされるようにしたことを特徴とする請求項３に記載の電子機器。
【発明の詳細な説明】
【０００１】
【発明の属する技術分野】
本発明は、電子機器に関する。
【０００２】
【従来の技術】
本発明は、先行技術の調査を行なうことなく、公知・公用の技術をもとに開発した発明であるため、出願人が知っている先行技術は、文献公知発明に該当しない。以下、公知・公用の電子機器について説明する。
【０００３】
電子機器としての例えばコンピュータには、本体フレームの内部にＣＰＵやメモリ等を収容して本体ユニットを構成し、当該本体ユニットに、例えばディスクにデータを記録・再生するディスクユニットを取り付けて構成されている。この場合に、ディスクユニットと本体ユニットとを接続するためにフラットケーブルが用いられる。
【０００４】
ディスクユニットと本体ユニットとの結合構造を図７に示す。図のように、本体ユニット１を構成する筐体２には開口部２ａが形成され、開口部２ａと対向する位置にディスクユニット３の対向板４が設けられている。この対向板４に幅が広くて薄いフラットケーブル６を貫通させてディスクユニット３と本体ユニット１とが接続される。
【０００５】
この場合、図７に示すように対向板４に貫通孔５を形成し、本体ユニット１の開口部２ａから出したフラットケーブル６を当該貫通孔５に挿通してコネクタ７をディスクユニット３の内部の機器に接続している。
【０００６】
【発明が解決しようとする課題】
ところが、図８に示すように対向板４の内側に構造物８が存在する場合には、コネクタ７が構造物８と干渉するためにフラットケーブル６を配線できず、図９のようにコネクタ７が通る大きさに貫通孔５を大きくすると、止め具９を介してフラットケーブル６を固定しなければならない。つまり、貫通孔を設ける位置について制約を受ける場合がある。このほか、組立時に対向板４と筐体２との間にフラットケーブル６が挟まれないように注意しなければならない。
【０００７】
そこで本発明は、斯かる課題を解決した電子機器を提供することを目的とする。
【０００８】
【課題を解決するための手段】
斯かる目的を達成するための請求項１に係る電子機器の構成は、一対の板状材が相互に重ねて結合され、結合された状態では、一方の板状材の開口部と他方の板状材の貫通孔とが対応し、前記貫通孔を介して一対の板状材の一方側から他方側へケーブルを配設した構成の電子機器において、他方の板状材にダミー貫通孔を形成し、当該ダミー貫通孔と前記貫通孔とを連通させる連通孔を形成し、ケーブルの中間部を一方側から前記連通孔に入れることで、ケーブルが他方の板状材の貫通孔から入ってダミー貫通孔から戻った状態にした後、ケーブルの先端部を一方側からダミー貫通孔に挿通することで、前記貫通孔を介してケーブルが配設された状態にしたことを特徴とする。
【０００９】
斯かる電子機器では、構造物の存在により、ケーブルは通せてもコネクタが通せないような場合であっても、ダミー貫通孔にコネクタを挿通させることで結果として貫通孔にケーブルを挿通させることができる。
【００１０】
請求項２に係る電子機器の構成は、請求項１において、前記ダミー貫通孔の大きさを、前記ケーブルに設けられるコネクタが挿通され得る大きさに設定したことを特徴とする。
【００１１】
請求項３に係る電子機器の構成は、請求項２において、前記連通孔を形成することで前記貫通孔と前記ダミー貫通孔との間に形成された区画部の基端部近傍に打ち出し部を形成したことを特徴とする。
【００１２】
斯かる電子機器では、区画部が曲げモーメントを受けた場合でも、区画部の基端部近傍の強度が大きいので、曲がりにくい。
【００１３】
請求項４に係る電子機器の構成は、請求項３において、前記打ち出し部が一方の板状材の開口部の内側に当接して一方の板状材と他方の板状材とが位置決めされるようにしたことを特徴とする。
【００１４】
斯かる電子機器では、他方の板状材の打ち出し部を一方の板状材の開口部の内側に当接させることにより、組立の際の一方の板状材と他方の板状材との位置決めを、容易に行なうことができる。
【００１５】
【発明の実施の形態】
以下、本発明による電子機器の実施の形態を説明する。
【００１６】
（ａ）実施の形態１
まず、実施の形態１を図１に示す。
【００１７】
図のように対向板４における貫通孔５の横であって、対向板４と筐体２とを結合したときに筐体２と重なって見えなくなる位置に、ダミー貫通孔１１が形成され、貫通孔５とダミー貫通孔１１との上部を連通させる連通孔１２が形成されている。ダミー貫通孔１１と連通孔１２とを形成したのは、貫通孔５の向こう側に干渉する部材が存在して貫通孔５にコネクタ７を挿通するだけの隙間はないがフラットケーブル６を配線するだけの隙間は存在するような場合に、貫通孔５へのフラットケーブル６の配線を可能にするためである。貫通孔５はフラットケーブル６を挿通できればいいので小さく、ダミー貫通孔１１はコネクタ７を挿通できるようにコネクタ７の外形よりも少し大きく設定される。
【００１８】
フラットケーブル６の配線は、以下の手順で行なう。図１に示すように連通孔１２を形成することで貫通孔５とダミー貫通孔１１との間に形成された部分を区画部１３とすると、図２（ａ）に示すように、フラットケーブル６を丸めて曲がり部６ａを形成し、連通孔１２から区画部１３の向こう側へ曲がり部６ａの部分を差し込む。すると、図３（ａ）に示す状態になる。このあと、図３（ｂ）に示すようにコネクタ７をダミー貫通孔１１に挿通する。すると、図３（ｃ）に示すようにフラットケーブル６がダミー貫通孔１１から離れて貫通孔５のみに挿通された状態になる。このようにフラットケーブル６が貫通孔５のみに挿通された状態で、図３（ｄ）に示すように対向板４を筐体２にネジ等を介して結合する。すると、斜視図を図２（ｂ）に示すようにダミー貫通孔１１の部分が筐体２の存在によって閉塞される。つまり、小さな貫通孔５を形成してフラットケーブル６を挿通したのと略同じ状態が実現される。しかも、図３（ｄ）に示すように、対向板４の裏側に構造物８があって干渉する場合であっても問題なくフラットケーブル６の配線が行なえることになる。
【００１９】
（ｂ）実施の形態２
次に、実施の形態２を図４〜図６に示す。図４に示すように、本体ユニット１を構成する筐体２とディスクユニット３の対向板４の部分が結合されている。この結合は、対向板４の両側の下部に形成された係合爪１４であって、手前側へ突出して下方へ伸びる部分を筐体２に形成された係合孔１５に挿入してディスクユニット３の全体を少し下方へ下げて外れるのを防止した状態で、２本のネジ１６をタップ孔１７，１８にねじ込むことによって行なわれている。
【００２０】
図５（ａ）（ｂ）に示すように、対向板４には実施の形態１と同様に貫通孔５，ダミー貫通孔１１，連通孔１２が形成されている。そして、本実施の形態では区画部１３の基端部を補強する目的で、区画部１３の基端部近傍に打ち出し部１３ａが形成されている。打ち出し部１３ａは、区画部１３と対向板４における区画部１３の近傍をプレス成形により打ち出して、図５（ｂ）に示すように平板状の形状を立体的な形状にして補強したものである。
【００２１】
そして、貫通孔５の部分に挿通した電源ケーブル６の一端がディスクユニット３に接続され、他端が本体ユニット１の図示しないマザーボードに接続される。１９は対向板４のこちら側と本体ユニット１の図示しないマザーボードとを接続するフラットケーブルである。
【００２２】
斯かる電子機器では、図５（ｂ）に示すように区画部１３に曲げモーメントＭ又は−Ｍが加わった場合に、曲げモーメントが加わる方向へ区画部１３と対向板４の一部とが張り出して二重化されて打ち出し部１３ａが形成されているので、曲げモーメントに対する抵抗力が大きく、そのために区画部１３の曲がりが防止される。また、図６に示すように、打ち出し部１３ａに筐体２の開口部２ａの内側を当接させることにより筐体２に対する対向板４の位置決めが行なわれ、筐体２への対向板４の結合作業を行なう際に便利である。また、結合の際に電源ケーブル６を挟み込む事故が防止され、電源ケーブル６が保護される。
【００２３】
その他の構成，作用は実施の形態１と同じなので、説明を省略する。
【００２４】
なお、本実施の形態では電子機器がコンピュータの場合を示したが、コンピュータに限らず、種々の電子機器に用いることができる。また、ケーブルはフラットケーブルに限定されるものではない。
【００２５】
【発明の効果】
以上の説明からわかるように、本発明に係る電子機器によれば、他方の板状材に貫通孔とは別個にダミー貫通孔を形成し、当該ダミー貫通孔と貫通孔とを連通させる連通孔を形成したので、他方の板状材における貫通孔と対応する位置に干渉する構造物が取り付けられてコネクタを挿通できない場合であっても、当該貫通孔をケーブルが挿通される孔として用いることができる。また、当該貫通孔を小さくすることにより、ケーブルを固定するための止め具を不要にすることができる。更に、貫通孔とダミー貫通孔との間に形成された区画部の基端部近傍に打ち出し部を形成することにより、一方の板状材と他方の板状材との相対的な位置決めが容易になり、更に、一方の板状材と他方の板状材とを結合する際のケーブルの保護機能がある。
【図面の簡単な説明】
【図１】本発明による電子機器の実施の形態１としてのコンピュータにおける対向板の斜視図。
【図２】本発明による電子機器の実施の形態１としてのコンピュータにおける対向板に貫通孔等を形成してケーブルを挿通させる際の要部の斜視図。
【図３】本発明による電子機器の実施の形態１としてのコンピュータにおける対向板に貫通孔等を形成してケーブルを挿通させる際の手順を示す断面図。
【図４】本発明による電子機器の実施の形態２としてのコンピュータを示す分解斜視図。
【図５】本発明による電子機器の実施の形態２としてのコンピュータの要部に係り、（ａ）は斜視図、（ｂ）は断面図。
【図６】本発明による電子機器の実施の形態２としてのコンピュータの要部を示す平面断面図。
【図７】従来の電子機器において、ケーブル接続するための貫通孔を示す斜視図。
【図８】従来の電子機器において貫通孔を形成した場合の問題点を示す平面断面図。
【図９】従来の電子機器において貫通孔を大きくした場合の問題点を示す平面断面図。
【符号の説明】
２…筐体
２ａ…開口部
４…対向板
５…貫通孔
６…フラットケーブル
１１…ダミー貫通孔
１２…連通孔
【図１】
2004296759.tif 000003
【図２】
2004296759.tif 000004
【図３】
2004296759.tif 000005
【図４】
2004296759.tif 000006
【図５】
2004296759.tif 000007
【図６】
2004296759.tif 000008
【図７】
2004296759.tif 000009
【図８】
2004296759.tif 000010
【図９】
2004296759.tif 000011